(57)【要約】【課題】各保険外交員のそれぞれ毎に、担当した保険契約に関して、将来、保険会社から支払われる手数料額を的確に把握可能とすること。【解決手段】ユーザ操作を介していずれかの期間指定を含む所定の手数料集計指令が生成されたとき、取扱担当者情報をキーとしてデータベースを検索することで、１の取扱担当者が取り扱った全ての保険契約及び各契約それぞれの手数料支払方法情報を求め、それらに基づいて、当該１の取扱担当者に関して指定期間に得られる手数料収入総額を集計して、ユーザに提示する。【選択図】図１８
2017156841.tif 000002
【特許請求の範囲】
【請求項１】
インターネットを介して保険代理店側のクライアント端末と接続可能なＡＳＰサーバを含み、
前記ＡＳＰサーバには、
前記クライアント端末側の操作を介して所定の登録指令が生成されたとき、前記クライアント端末側の操作を介して生成又は修正され、かつ１もしくは２以上の検索用属性項目を含む、１の保険契約に関する保険契約データを、所定のデータベースに登録する契約データ登録手段と、
前記クライアント端末側の操作を介していずれかの検索用属性項目に関する検索用キーを含む所定の検索指令が生成されたとき、前記検索用キーを使用して前記データベースを検索し、その検索結果を前記クライアント端末の利用者に提示する契約データ検索手段とが含まれており、
前記契約データ登録手段には、さらに、前記クライアント端末側の操作を介して生成された当該保険契約に関する手数料支払方法情報とその保険契約の取扱担当者情報とを、前記保険契約データと併せて前記データベースに登録する機能が含まれており、さらに
前記ＡＳＰサーバには、
前記クライアント端末側の操作を介していずれかの期間指定を含む所定の手数料集計指令が生成されたとき、前記取扱担当者情報をキーとして前記データベースを検索することにより、当該１の取扱担当者が取り扱った保険契約の手数料支払方法情報と前記期間指定とに基づいて、当該１の取扱担当者に関して指定期間に得られる手数料収入総額を集計し、前記クライアント端末側に提示する担当者別手数料収入集計手段が含まれている、保険代理店業務支援装置。
【請求項２】
前記手数料支払方法情報は、少なくとも、Ｌ字型か、平準型かの別を示す支払体系情報と、支払継続期間情報と、初年度手数料情報と、継続手数料情報とを含む、請求項１に記載の保険代理店業務支援装置。
【請求項３】
前記契約データ登録手段は、クライアント端末側における登録操作のために所定の操作案内画面をクライアント端末側に提示するものであり、かつ
前記操作案内画面には、少なくとも、Ｌ字型、平準型の１つを選択するための選択操作部と、支払継続期間の入力欄と、初年度手数料の入力欄と、継続手数料の入力欄とが設けられている、請求項１に記載の保険代理店業務支援装置。
【請求項４】
前記支払継続期間の入力欄は、支払開始年及び月の入力欄と、支払年数の入力欄とを含む、請求項３に記載の保険代理店業務支援装置。
【請求項５】
１の取扱担当者に関して指定期間に得られる前記手数料収入総額の提示は、初年度手数料総額と継続手数料総額とに分けて行われる、請求項１に記載の保険代理店業務支援装置。
【請求項６】
１の取扱担当者に関して指定期間に得られる前記手数料収入総額の提示は、保険会社別に行われる、請求項１に記載の保険代理店業務支援装置。
【請求項７】
前記手数料収入総額の提示は、当該保険代理店に関して予め登録された複数の契約担当者の全員のそれぞれに関して、一括して提示される、請求項１に記載の保険代理店業務支援装置。
【請求項８】
前記一括しての提示は、表示出力、プリントアウト出力、及び／又は、ＣＳＶ出力により行われる、請求項７に記載の保険代理店業務支援装置。
【請求項９】
前記手数料集計指令に含まれる期間指定は、月収を求めるために、「年」と「月」の指定により行われる、請求項１に記載の保険代理店業務支援装置。
【請求項１０】
前記担当者別手数料収入集計手段は、クライアント端末側における期間指定操作のために所定の操作案内画面をクライアント端末側に提示するものであり、かつ
前記操作案内画面には、指定期間を特定するための「年」と「月」の入力欄が設けられている、請求項９に記載の保険代理店業務支援装置。
【請求項１１】
コンピュータを、インターネットを介して保険代理店側のクライアント端末に接続可能なＡＳＰサーバを含む保険代理店業務支援装置として機能させるためのコンピュータプログラムであって、
前記ＡＳＰサーバには、
前記クライアント端末側の操作を介して所定の登録指令が生成されたとき、前記クライアント端末側の操作を介して生成又は修正され、かつ１もしくは２以上の検索用属性項目を含む、１の保険契約に関する保険契約データを、所定のデータベースに登録する契約データ登録手段と、
前記クライアント端末側の操作を介していずれかの検索用属性項目に関する検索用キーを含む所定の検索指令が生成されたとき、前記検索用キーを使用して前記データベースを検索し、その検索結果を前記クライアント端末の利用者に提示する契約データ検索手段とが含まれており、
前記契約データ登録手段には、さらに、前記クライアント端末側の操作を介して生成された当該保険契約に関する手数料支払方法情報とその保険契約の取扱担当者情報とを、前記保険契約データと併せて前記データベースに登録する機能が含まれており、さらに
前記ＡＳＰサーバには、
前記クライアント端末側の操作を介していずれかの期間指定を含む所定の手数料集計指令が生成されたとき、前記取扱担当者情報をキーとして前記データベースを検索することにより、当該１の取扱担当者が取り扱った保険契約の手数料支払方法情報と前記期間指定とに基づいて、当該１の取扱担当者に関して指定期間に得られる手数料収入総額を集計し、前記クライアント端末側に提示する担当者別手数料収入集計手段が含まれている、コンピュータプログラム。
【請求項１２】
前記手数料支払方法情報は、少なくとも、Ｌ字型か、平準型かの別を示す支払体系情報と、支払継続期間情報と、初年度手数料情報と、継続手数料情報とを含む、請求項１１に記載のコンピュータプログラム。
【請求項１３】
前記契約データ登録手段は、クライアント端末側における登録操作のために所定の操作案内画面をクライアント端末側に提示するものであり、かつ
前記操作案内画面には、少なくとも、Ｌ字型、平準型の１つを選択するための選択操作部と、支払継続期間の入力欄と、初年度手数料の入力欄と、継続手数料の入力欄とが設けられている、請求項１１に記載のコンピュータプログラム。
【請求項１４】
前記支払継続期間の入力欄は、支払開始年及び月の入力欄と、支払年数の入力欄とを含む、請求項１３に記載のコンピュータプログラム。
【請求項１５】
１の取扱担当者に関して指定期間に得られる前記手数料収入総額の提示は、初年度手数料総額と継続手数料総額とに分けて行われる、請求項１１に記載のコンピュータプログラム。
【請求項１６】
１の取扱担当者に関して指定期間に得られる前記手数料収入総額の提示には、保険会社別の手数料収入内訳を含む、請求項１１に記載のコンピュータプログラム。
【請求項１７】
前記手数料収入総額の提示は、当該保険代理店に関して予め登録された複数の契約担当者の全員に関して、一括して提示される、請求項１１に記載のコンピュータプログラム。
【請求項１８】
前記一括しての提示は、表示出力、プリントアウト出力、及び／又は、ＣＳＶ出力により行われる、請求項１７に記載のコンピュータプログラム。
【請求項１９】
前記手数料集計指令に含まれる期間指定は、月収を求めるために、「年」と「月」の指定により行われる、請求項１１に記載のコンピュータプログラム。
【請求項２０】
前記担当者別手数料収入集計手段は、クライアント端末側における期間指定操作のために所定の操作案内画面をクライアント端末側に提示するものであり、かつ
前記操作案内画面には、月収を求めるために、「年」と「月」の入力欄が設けられている、請求項１９に記載のコンピュータプログラム。
【請求項２１】
ユーザ操作を介して所定の登録指令が生成されたとき、ユーザ操作を介して生成又は修正され、かつ１もしくは２以上の検索用属性項目を含む、１の保険契約に関する保険契約データを、所定のデータベースに登録する契約データ登録ステップと、
ユーザ操作を介していずれかの検索用属性項目に関する検索用キーを含む所定の検索指令が生成されたとき、前記検索用キーを使用して前記データベースを検索し、その検索結果をユーザに提示する契約データ検索ステップとが含まれており、
前記契約データ登録ステップには、さらに、前記ユーザ操作を介して生成された当該保険契約に関する手数料支払方法情報とその保険契約の取扱担当者情報とを、前記保険契約データと併せて前記データベースに登録する機能が含まれており、さらに
ユーザ操作を介していずれかの期間指定を含む所定の手数料集計指令が生成されたとき、前記取扱担当者情報をキーとして前記データベースを検索することで、１の取扱担当者が取り扱った全ての保険契約及び各契約それぞれの手数料支払方法情報を求め、それらに基づいて、当該１の取扱担当者に関して指定期間に得られる手数料収入総額を集計して、ユーザに提示する担当者別手数料収入集計ステップを有する、保険代理店業務支援方法。
【発明の詳細な説明】
【技術分野】
【０００１】
この発明は、保険代理店業務支援装置に係り、例えば、生命保険取扱代理店において、顧客に対するコンサルティング業務を適切に行うために好適な保険代理店業務支援装置に関する。
【背景技術】
【０００２】
１９９６年に所謂「乗合代理店」が解禁されて以来、多くの保険代理店においては、保険会社のそれぞれが独自に提供する様々な保険商品の取り扱いを簡便なものとするために、各種の保険代理店業務支援装置（以下、単に、「支援装置」と略称する）が導入されるに至っている。
【０００３】
これらの支援装置は、パーソナルコンピュータ（ＰＣ）単体に専用のアプリケーションプログラムを組み込むことで構成される所謂スタンドアローン方式のもの（例えば、特許文献１の図１３参照）と、専用のアプリケーションプログラムが組み込まれたサーバからネットワークを介して保険代理店のＰＣ端末に対して所望のサービスを提供する所謂アプリケーション・サービス・プロバイダ（ＡＳＰ）方式のもの（例えば、特許文献１の図１、非特許文献１参照）とに大別される。
【０００４】
それらの支援装置の基本的な機能としては、各保険会社に関する基本情報（例えば、名称や所在地等の書誌的情報、及び各保険商品の内容情報）の登録を支援する機能、既存顧客あるいは新規顧客に関する基本情報（例えば、氏名、名称、住所、電話番号、等々の書誌的事項）の登録を支援する機能、上記の保険会社基本情報、及び上記の顧客基本情報を用いて、各保険契約の登録や変更や削除を支援する機能、及び予め用意された検索用の属性項目（例えば、契約者に関する氏名や名称、住所、電話番号、等々）のそれぞれに関して適当な検索キーに基づいて該当する１又は２以上の契約データを検索抽出する機能、等々を挙げることができる。
【０００５】
特に、この保険契約の検索抽出機能によれば、各顧客毎に、既存の保険契約を一括して提示できることから、新規保険契約の必要性や既存の保険契約の不足を分かり易く顧客に説明できる等々、営業活動に威力を発揮する。
【０００６】
なお、これらの支援装置の中には、各生命保険契約毎に、保険会社から支払われる手数料に関する様々なデータを管理するものも知られている（例えば、特許文献１、図５、図１０参照）。
【先行技術文献】
【特許文献】
【０００７】
【特許文献１】特開２００８−１４６３３８号公報
【非特許文献】
【０００８】
【非特許文献１】ＷｉｓｅＯｆｆｉｃｅ２（登録商標）（http://www.dairiten-system.com/）
【発明の概要】
【発明が解決しようとする課題】
【０００９】
ところで、委託保険募集人制度の廃止に伴って、昨今、保険外交員を業務委託から直接雇用に切り替える保険代理店が増えつつある。保険外交員の直接雇用によれば、金融庁が期待するように、保険代理店による保険外交員の管理監督強化により、顧客の保護が担保されるが、そのためには、保険外交員の賃金体系乃至報酬の適正化が要請される。
【００１０】
保険外交員の賃金体系（諸手当を除く）としては、業務の性質上、歩合給が大きな比率を占める。これを前提とした賃金体系としては、１）「基本給＋歩合給」とする案、２）「（完全）歩合給とする案」の２つが考えられる。
【００１１】
いずれの案を採用するとしても、具体的に、報酬額を定めるためには、各保険外交員のそれぞれ毎に、担当した保険契約に関して、将来、保険会社から支払われる手数料額を的確に把握することが不可欠である。
【００１２】
しかし、この種の保険契約に関して、保険会社から支払われる手数料の支払い態様（例えば、Ｌ字型か、平準型か、又は一時払い型）、支払期間、支払額は保険契約毎に区々であることに加えて、保険代理店の人手も限られていることから、各保険外交員のそれぞれ毎に、担当した保険契約に関して、将来、保険会社から支払われる手数料額を的確に把握することはなかなか容易ではない。
【００１３】
この発明は、保険代理店業界における上述の問題点に着目してなされたものであり、その目的とするところは、各保険外交員のそれぞれ毎に、担当した保険契約に関して、将来、保険会社から支払われる手数料額を的確に把握可能とすることにある。
【００１４】
この発明のさらに他の目的並びに作用効果については、明細書の以下の記述を参照することにより、当業者であれば容易に理解されるであろう。
【課題を解決するための手段】
【００１５】
上述の技術的課題は、以下の構成を有する保険代理店業務支援装置、同方法、及びコンピュータプログラムにより、解決することができる。
すなわち、本発明の保険代理店業務支援装置は、インターネットを介して保険代理店側のクライアント端末と接続可能なＡＳＰサーバを含み、
前記ＡＳＰサーバには、
前記クライアント端末側の操作を介して所定の登録指令が生成されたとき、前記クライアント端末側の操作を介して生成又は変更され、かつ１もしくは２以上の検索用属性項目を含む、１の保険契約に関する保険契約データを、所定のデータベースに登録する契約データ登録手段と、
前記クライアント端末側の操作を介していずれかの検索用属性項目に関する検索用キーを含む所定の検索指令が生成されたとき、前記検索用キーを使用して前記データベースを検索し、その検索結果を前記クライアント端末の利用者に提示する契約データ検索手段とが含まれており、
前記契約データ登録手段には、さらに、前記クライアント端末側の操作を介して生成された当該保険契約に関する手数料支払方法情報とその保険契約の取扱担当者情報とを、前記保険契約データと併せて前記データベースに登録する機能が含まれており、さらに
前記ＡＳＰサーバには、
前記クライアント端末側の操作を介していずれかの期間指定を含む所定の手数料集計指令が生成されたとき、前記取扱担当者情報をキーとして前記データベースを検索することにより、当該１の取扱担当者が取り扱った保険契約の手数料支払方法情報と前記期間指定とに基づいて、当該１の取扱担当者に関して指定期間に得られる手数料収入総額を集計し、前記クライアント端末側に提示する担当者別手数料収入集計手段が含まれている。
【００１６】
このような構成によれば、例えば、保険契約データの新規登録又は保険契約データの変更登録に際して、前記クライアント端末側において所定の操作を行えば、当該保険契約に関する手数料支払方法情報とその保険契約の取扱担当者情報とが生成されて、前記保険契約データと併せて前記データベースに登録される一方、任意の時点で、前記クライアント端末側において所定の操作を行なうことで、いずれかの期間指定を含む所定の手数料集計指令が生成されると、前記取扱担当者情報をキーとして前記データベースを検索することにより、当該１の取扱担当者が取り扱った保険契約の手数料支払方法情報と前記期間指定とに基づいて、当該１の取扱担当者に関して指定期間に得られる手数料収入総額を集計し、前記クライアント端末側に提示する処理が実行され、これにより各保険外交員のそれぞれ毎に、担当した保険契約に関して、将来、保険会社から支払われる手数料額を的確に把握可能となる。
【００１７】
本発明装置の好ましい実施の態様においては、前記手数料支払方法情報は、少なくとも、Ｌ字型か、平準型かの別を示す支払体系情報と、支払継続期間情報と、初年度手数料情報と、継続手数料情報とを含む、ものであってもよい。
【００１８】
このような構成によれば、各保険契約のそれぞれについて、その支払い体系に応じて、将来保険会社から支払われるべき手数料を容易に計算することができる。
【００１９】
本発明装置の好ましい実施の態様においては、前記契約データ登録手段は、クライアント端末側における登録操作のために所定の操作案内画面をクライアント端末側に提示するものであり、かつ
前記操作案内画面には、少なくとも、Ｌ字型、平準型の１つを選択するための選択操作部と、支払継続期間の入力欄と、初年度手数料の入力欄と、継続手数料の入力欄とが設けられている、ものであってもよい。
【００２０】
このような構成によれば、クライアント端末側の利用者は、予め用意されて選択操作部や入力欄にしたがって操作を行うだけで、各保険契約について、手数料支払い方法情報を容易に入力することができる。
【００２１】
このとき、前記支払継続期間の入力欄は、支払開始年及び月の入力欄と、支払年数の入力欄とを含む、ものであってもよい。
【００２２】
このような構成によれば、期間の始期と終期との双方を入力せずとも、支払い継続期間を容易に入力することができる。
【００２３】
本発明装置の好ましい実施の態様においては、１の取扱担当者に関して指定期間に得られる前記手数料収入総額の提示は、初年度手数料総額と継続手数料総額とに分けて行われる、ものであってもよい。
【００２４】
このような構成によれば、Ｌ字型支払い方法を採用する保険契約に起因して、指定期間に手数料収入が短期的ではあるが格段に多いような場合、このような大きな収入が長期に亘り継続すると誤認することを未然に防ぐことができる。
【００２５】
このとき、１の取扱担当者に関して指定期間に得られる前記手数料収入総額の提示は、保険会社別に行われる、ものであってもよい。
【００２６】
このような構成によれば、当該１の取り扱い担当者に関して、保険会社別の売り上げ実績をおおよそ推定することができ、これに基づいて、当該担当者の営業活動の傾向を大まかに把握することもできる。
【００２７】
本発明装置の好ましい実施の態様においては、前記手数料収入総額の提示は、当該保険代理店に関して予め登録された複数の契約担当者の全員に関して、一括して提示される、ものであってもよい。
【００２８】
このような構成によれば、同一の指定期間における手数料収入の総額、その保険会社別売り上げ、等々を契約担当者同士で比較することで、個々の担当者の能力をより的確に評価することが可能となる。
【００２９】
このとき、前記一括しての提示は、表示出力、プリントアウト出力、及び／又は、ＣＳＶ出力により行われる、ものであってもよい。
【００３０】
このような構成によれば、クライアント端末側の出力機器構成に応じて、適切な出力態様を選択させることができる。
【００３１】
本発明装置の好ましい実施の態様においては、前記手数料集計指令に含まれる期間指定は、月収を求めるために、「年」と「月」の指定により行われる、ものであってもよい。
【００３２】
このような構成によれば、手数料集計対象となる期間として、特定の「年」の特定の「月」を限定することが可能となるため、将来のある時点の月収を求めることができるから、当該外交員の給与算定に便利なツールとなる。
【００３３】
本発明装置の好ましい実施の態様においては、
前記担当者別手数料収入集計手段は、クライアント端末側における期間指定操作のために所定の操作案内画面をクライアント端末側に提示するものであり、かつ
前記操作案内画面には、指定期間を特定するための「年」と「月」の入力欄が設けられている、ものであってもよい。
【００３４】
このような構成によれば、当該担当者の将来の月収を推定するについて、その期間指定操作が容易となる。
【００３５】
別の一面から見た本発明は、上述の各装置を実現するためのコンピュータプログラムとして把握することもできる。なお、各プロクラムにより実現される装置の作用効果については、既に、述べたとおりである。
【００３６】
すなわち、このコンピュータプログラムは、コンピュータを、インターネットを介して保険代理店側のクライアント端末に接続可能なＡＳＰサーバを含む保険代理店業務支援装置として機能させるためのものであって、
前記ＡＳＰサーバには、
前記クライアント端末側の操作を介して所定の登録指令が生成されたとき、前記クライアント端末側の操作を介して生成又は修正され、かつ１もしくは２以上の検索用属性項目を含む、１の保険契約に関する保険契約データを、所定のデータベースに登録する契約データ登録手段と、
前記クライアント端末側の操作を介していずれかの検索用属性項目に関する検索用キーを含む所定の検索指令が生成されたとき、前記検索用キーを使用して前記データベースを検索し、その検索結果を前記クライアント端末の利用者に提示する契約データ検索手段とが含まれており、
前記契約データ登録手段には、さらに、前記クライアント端末側の操作を介して生成された当該保険契約に関する手数料支払方法情報とその保険契約の取扱担当者情報とを、前記保険契約データと併せて前記データベースに登録する機能が含まれており、さらに
前記ＡＳＰサーバには、
前記クライアント端末側の操作を介していずれかの期間指定を含む所定の手数料集計指令が生成されたとき、前記取扱担当者情報をキーとして前記データベースを検索することにより、当該１の取扱担当者が取り扱った保険契約の手数料支払方法情報と前記期間指定とに基づいて、当該１の取扱担当者に関して指定期間に得られる手数料収入総額を集計し、前記クライアント端末側に提示する担当者別手数料収入集計手段が含まれている。
【００３７】
上述のプログラムにおいて、前記手数料支払方法情報は、Ｌ字型か、平準型か、又は一時払い型かの別を示す支払体系情報と、支払継続期間情報と、初年度手数料情報と、継続手数料情報とを含む、ものであってもよい。
【００３８】
上述のプログラムにおいて、前記契約データ登録手段は、クライアント端末側における登録操作のために所定の操作案内画面をクライアント端末側に提示するものであり、かつ
前記操作案内画面には、Ｌ字型、平準型、一時払い型の１つを選択するための選択操作部と、支払継続期間の入力欄と、初年度手数料の入力欄と、継続手数料の入力欄とが設けられている、ものであってもよい。
【００３９】
上述のプログラムにおいて、前記支払継続期間の入力欄は、支払開始年及び月の入力欄と、支払年数の入力欄とを含む、ものであってもよい。
【００４０】
上述のプログラムにおいて、１の取扱担当者に関して指定期間に得られる前記手数料収入総額の提示は、初年度手数料総額と継続手数料総額とに分けて行われる、ものであってもよい。
【００４１】
上述のプログラムにおいて、１の取扱担当者に関して指定期間に得られる前記手数料収入総額の提示には、保険会社別の手数料収入内訳を含む、ものであってもよい。
【００４２】
上述のプログラムにおいて、前記手数料収入総額の提示は、当該保険代理店に関して予め登録された複数の契約担当者の全員に関して、一括して提示される、ものであってもよい。
【００４３】
上述のプログラムにおいて、前記一括しての提示は、表示出力、プリントアウト出力、及び／又は、ＣＳＶ出力により行われる、ものであってもよい。
【００４４】
上述のプログラムにおいて、前記手数料集計指令に含まれる期間指定は、月収を求めるために、「年」と「月」の指定により行われる、ものであってもよい。
【００４５】
上述のプログラムにおいて、前記担当者別手数料収入集計手段は、クライアント端末側における期間指定操作のために所定の操作案内画面をクライアント端末側に提示するものであり、かつ
前記操作案内画面には、月収を求めるために、「年」と「月」の入力欄が設けられている、ものであってもよい。
【００４６】
以上説明した本発明のアルゴリズムは、保険代理店業務支援方法として把握して、スタンドアロン型パソコンにおいて、実施することもできる。
【００４７】
すなわち、本発明の保険代理店業務支援方法は、
ユーザ操作を介して所定の登録指令が生成されたとき、ユーザ操作を介して生成又は修正され、かつ１もしくは２以上の検索用属性項目を含む、１の保険契約に関する保険契約データを、所定のデータベースに登録する契約データ登録ステップと、
ユーザ操作を介していずれかの検索用属性項目に関する検索用キーを含む所定の検索指令が生成されたとき、前記検索用キーを使用して前記データベースを検索し、その検索結果をユーザに提示する契約データ検索ステップとが含まれており、
前記契約データ登録ステップには、さらに、ユーザ操作を介して生成された当該保険契約に関する手数料支払方法情報とその保険契約の取扱担当者情報とを、前記保険契約データと併せて前記データベースに登録する機能が含まれており、さらに
ユーザ操作を介していずれかの期間指定を含む所定の手数料集計指令が生成されたとき、前記取扱担当者情報をキーとして前記データベースを検索することで、１の取扱担当者が取り扱った全ての保険契約及び各契約それぞれの手数料支払方法情報を求め、それらに基づいて、当該１の取扱担当者に関して指定期間に得られる手数料収入総額を集計して、出力部に提示する担当者別手数料収入集計ステップを有する、ものである。
【００４８】
このような構成によれば、例えば、保険契約データの新規登録又は保険契約データの変更登録に際して、ユーザが所定の操作を行えば、当該保険契約に関する手数料支払方法情報とその保険契約の取扱担当者情報とが生成されて、前記保険契約データと併せて前記データベースに登録される一方、任意の時点で、所定のユーザ操作を行なうことで、いずれかの期間指定を含む所定の手数料集計指令が生成されると、前記取扱担当者情報をキーとして前記データベースを検索することで、１の取扱担当者が取り扱った保険契約及び各契約それぞれの手数料支払方法情報が求められ、それらに基づいて、当該１の取扱担当者に関して指定期間に得られる手数料収入総額を集計して、出力装置に提示する処理が実行される。
【発明の効果】
【００４９】
本発明によれば、例えば、保険契約データの新規登録又は保険契約データの変更登録に際して、前記クライアント端末側において所定の操作を行えば、当該保険契約に関する手数料支払方法情報とその保険契約の取扱担当者情報とが生成されて、前記保険契約データと併せて前記データベースに登録される一方、任意の時点で、前記クライアント端末側において所定の操作を行なうことで、いずれかの期間指定を含む所定の手数料集計指令が生成されると、前記取扱担当者情報をキーとして前記データベースを検索することにより、当該１の取扱担当者が取り扱った保険契約の手数料支払方法情報と前記期間指定とに基づいて、当該１の取扱担当者に関して指定期間に得られる手数料収入総額を集計し、前記クライアント端末側に提示する処理が実行され、これにより各保険外交員のそれぞれ毎に、担当した保険契約に関して、将来、保険会社から支払われる手数料額を的確に把握可能となる。
【図面の簡単な説明】
【００５０】
【図１】図１は、本発明が適用されるクライアント・サーバシステムの構成図である。
【図２】図２は、サーバ側の処理の全体を示すフローチャートである。
【図３】図３は、各指令に対応する処理の詳細を示すフローチャートである。
【図４】図４は、手数料集計処理の詳細を示すフローチャートである。
【図５】図５は、操作案内画面（顧客登録用）の説明図（その１）である。
【図６】図６は、操作案内画面（顧客登録用）の説明図（その２）である。
【図７】図７は、操作案内画面（顧客登録用）の説明図（その３）である。
【図８】図８は、操作案内画面（家族構成員登録用）説明図（その１）ある。
【図９】図９は、操作案内画面（家族構成員登録票）の説明図（その２）ある。
【図１０】図１０は、操作案内画面（契約情報を登録用）の説明図（その１）である。
【図１１】図１１は、操作案内画面（契約情報登録用）の説明図（その２）ある。
【図１２】図１２は、操作案内画面（契約情報登録用）説明図（その３）ある。
【図１３】図１３は、操作案内画面（契約情報登録用）説明図（その４）ある。
【図１４】図１４は、操作案内画面（通常検索用）の説明図である。
【図１５】図１５は、操作案内画面（手数料集計用）の説明図である。
【図１６】図１６は、家族登録テーブルの構成を概略的に示す説明図である。
【図１７】図１７は、取扱担当者情報及び手数料支払方法情報を格納するデータベースの構造を概略的に示す説明図である。
【図１８】図１８は、将来のある「月」における担当者別手数料収入総額をその内訳と共に示す図表である。
【発明を実施するための形態】
【００５１】
以下に、本発明に係る保険代理店業務支援装置の実施の一形態を添付図面（図１〜図１８）を参照しながら詳細に説明する。
【００５２】
＜＜保険代理店業務支援装置のハードウェア構成＞＞
本発明が適用されるクライアント・サーバシステムの構成図が、図１に示されている。同図に示されるように、このクライアント・サーバシステムは、インターネット上の適所（例えば、データセンサ等）に設置される保険代理店業務支援装置１と、各保険代理店側のクライアント端末２との間をインターネット３で結ぶことにより構成されている。
【００５３】
図示のクライアント端末２は、デスクトップ型パソコンとして描かれているが、これは単なる一例であって、ノートパソコンやタブレット型パソコンのほか、保険代理店の担当者が持ち運ぶ各種のモバイル型データ処理端末でもよいことは勿論である。
【００５４】
保険代理店支援装置１は、ＡＳＰ（Application Service Provider）サーバ１ａとデータベース１ｂとを含んで構成されている。当業者にはよく知られているように、ＡＳＰサーバ１ａは、アプリケーションソフトの機能をネットワーク経由で顧客にサービスとして提供する際に使用されるサーバのことであり、通常、利用者はブラウザソフトなどを使用してインターネット等のネットワークを経由し、遠隔地からＡＳＰサーバにアクセスすることで、そのサーバ内に格納された各種アプリケーションソフトの機能をサービスの形で利用する。この例では、各種アプリケーションソフトの機能としては、後述するように、保険会社毎の基本情報登録機能、顧客情報登録機能、保険契約情報の登録・変更機能、及び保険契約並びに顧客の検索機能、本発明の要部であるところの手数料集計支援機能、等々を挙げることができる。
【００５５】
データベース１ｂは、上記の各種の処理に際して利用されるもので、この例にあっては、図示しないが、保険会社毎の基本情報（保険会社の書誌的事項並びに各保険商品の詳細）が登録される保険会社基本情報データベース、各保険代理店毎の顧客情報が登録される顧客情報データベース、締結された保険契約情報（本発明に関連して、当該保険契約に関する手数料支払方法情報とその保険契約の取扱担当者情報とを含む）が登録される保険契約情報データベースなどが含まれている。
【００５６】
＜＜保険代理店業務支援装置のソフトウェア構成＞＞
＜ＡＳＰサーバの処理全体の概略説明＞
次に、サーバ（ＡＳＰサーバ）側の処理の全体を概略的に示すフローチャートが、図２に示されている。同図に示されるように、処理が開始されると、まず、受信チェック処理（ステップ１０）を実行しながら、ログインの到来を待機する（ステップ１１ＮＯ）。この状態において、いずれかの保険代理店のクライアント端末２において、所定のＩＤとパスワードとを用いたログイン操作が行われたことに基づき、ログイン情報が到来すると、サーバー側における該当する情報との照合一致を条件として、ログイン成立が判定される（ステップ１１ＹＥＳ）。このログイン成立判定と共に、当該ログインＩＤに基づいて、当該保険代理店におけるクライアント端末の操作者が特定される。したがって、例えば、保険契約の登録は、当該保険契約を担当した保険外交員自身がクライアント端末を操作しておこなうものとルール付けておくことで、ログインＩＤから当該保険契約を担当した保険外交員を特定することもできる。
【００５７】
以後、受信チェック処理（ステップ１３）およびログアウト判定処理（ステップ１４）を実行しつつ、クライアント端末から送られてくる各指令に対応する処理（ステップ１２）が繰り返し実行される。それらの指令としては、顧客情報登録指令、契約情報登録・変更指令、契約情報検索指令、及び本発明の要部に相当する手数料集計指令などを挙げることができる。この状態において、当該クライアント端末において、所定のログアウト操作が行われると、ログアウト成立との判定が行われて（ステップ１４ＹＥＳ）、処理は終了する。
【００５８】
＜顧客情報登録指令に対応する処理の詳細説明＞
−処理の流れ−
各指令に対応する処理（ステップ１２）の詳細を示すフローチャートが、図３に示されている。同図において、処理が開始されると、まず、クライアント端末から到来する指令を解読するための指令種別解読処理（ステップ１２０）を実行する。
【００５９】
ここで、指令の種別が顧客情報登録指令であると判定されると（ステップ１２１ＹＥＳ）、続いて、顧客情報登録処理（ステップ１２２）が実行される。この顧客情報登録処理（ステップ１２２）では、当該クライアント端末に対して所定の操作案内情報を送って、当該端末の画像表示器の表示スクリーンに、対応する操作案内画面をブラウザの機能を介して表示することにより、利用者に対し顧客情報の登録を案内するとともに、その状態において、当該クライアント端末から送られてくる顧客情報を、顧客情報データベースに格納する処理等が実行される。その後、処理結果返送処理（ステップ１２９）の実行により、処理結果（登録完了の確認情報等々）はクライアント端末へと転送され、クライアント端末の表示スクリーンには、処理結果に対応する表示が行われる（処理結果の提示）。
【００６０】
−操作案内画面との関係−
（１）顧客情報の登録について
クライアント端末の画像表示器に表示される操作案内画面（顧客登録用）の説明図（その１〜３）が、図５〜図７示されている。それらの図に示されるように、操作案内画面の全体は、右端から左端近辺へ向けてほぼ画面全体を占める主表示領域Ｇ１と、左側のほんの僅かな部分を占める副表示領域Ｇ２とから構成されている。そして、主表示領域Ｇ１は上下にスクロール可能な領域とされるのに対し、副表示領域Ｇ２は上下にスクロール不能な領域とされている。
【００６１】
特に、図には示さないが、ログイン直後、クライアント端末の表示スクリーンには、所定のメニュー画面が表示され、そのメニュー画面の中で、メニュー項目の１つである「一覧」を選択することにより、図５に示される顧客情報検索用の操作案内画面が表示される。この時、副表示領域Ｇ２には、「個人」、「法人」、「その他」、および「全て」の中の１つを選択する選択ボタン、契約者登録ボタン、顧客検索ボタン、変更開始ボタン、などが表示されている。一方、主表示領域Ｇ１には、契約者情報検索タブと契約詳細検索タブとが表示され、画面全体には、契約者情報検索のための一連の検索用属性項目（種別、名前、カナ、生年月日、性別、九星、星座、住所、電話、担当者）が、当初、表示される。
【００６２】
この状態において、副表示領Ｇ２において、選択ボタンで「個人」が選択され、かつ契約者登録ボタンが操作されると、操作案内画面は、図５に示される状態から図６に示される状態へと切り替わる。このとき、主表示領域Ｇ１には、顧客情報登録用の各項目表示（例えば、宛名印刷、名前、カナ、性別、生年月日、九星、星座、郵便番号、住所、電話、ＦＡＸ、携帯、メール、通信先郵便番号、通信先住所等々）、並びに、それらの項目に対応する入力欄や選択ボタン等が表示される。なお、図中★が付された項目は、必須入力項目とされている。
【００６３】
これらの項目表示に従って該当する項目の情報を入力した後、主表示領域Ｇ１において画面を下方へスクロールすると、図７に示されるように、画面最下段の右脇には、登録ボタンが現れる。この登録ボタンが操作されると、ブラウザが作動して、入力された各項目情報を含む顧客情報登録指令がサーバ側と送りこまれ、先に説明したように、顧客情報登録処理（ステップ１２２）が実行されることにより、クライアント端末から送られてくる各項目情報は顧客情報データベースに格納される。
【００６４】
（２）家族登録について
顧客情報登録処理（ステップ１２２）においては、家族構成員の登録も可能とされている。この例にあっては、世帯主（例えば、父親）を中心として、その配偶者、子供といった、世間一般の意味で言う「家族」の構成員の全体を互いに紐付けて登録することを可能としている。
【００６５】
操作案内画面（家族構成員登録用）の説明図（その１、２）が、図８及び図９に示されている。特定の顧客について顧客情報の登録を行う際に、同時に、その家族に関する情報も登録したい場合には、同画面において「家族構成／受取人等」タブを操作する。すると、図８に示される操作案内画面（家族構成員登録用）が表示される。
【００６６】
この操作案内画面においては、１番上の段に、家族構成員の一覧表示部が設けられる。この一覧表示部には、家族構成員のそれぞれについて、属性、名前、続柄、生年月日（西暦）、生年月日（和暦）、及び年齢が表示される。そのため、この一覧表示部を見ることで、当該顧客に対して予め登録された家族構成員の内容を確認することができる。なお、図８は、未登録の状態である。
【００６７】
一方、家族構成の一覧表示部の下方には、家族構成を新規にまたは追加的に登録するための、登録用操作案内部が設けられる。この登録用操作案内部には、顧客登録の場合と同様にして、家族構成員登録用の各項目表示（名前、カナ、性別、生年月日、九星、星座、続柄、郵便番号、住所、電話、メール、勤務先、等々）、並びに、それらの項目に対応する入力欄や選択ボタン等が表示される。それらの入力欄や選択ボタンを利用して各構成員ごとに必要な情報を入力すると、図９に示されるように、先ほど説明した一覧表示部には、当該顧客に関する家族構成員に関する情報の全体が、一覧表示され、同時に、家族登録テーブルが作成される。
【００６８】
家族登録テーブルの構成を概略的に示す説明図が、図１６に示されている。同図に示されるように、例えば４組の家族のそれぞれごとに設けられた４つの家族登録テーブルＦ１，Ｆ２，Ｆ３，Ｆ４には、各構成員のそれぞれについて、属性、名前、続柄、生年月日（西暦）、生年月日（和暦）が設けられている。このようにして作成された家族登録テーブルは、１の顧客が特定された場合、その家族の構成員を認識するための内部処理で利用される。
【００６９】
＜契約情報登録・変更指令に対応する処理の詳細説明＞
−処理の流れ−
図３に戻って、指令の種別が契約情報登録・変更指令であると判定されると（ステップ１２３ＹＥＳ）、続いて、契約情報登録・変更処理（ステップ１２４）が実行される。この契約情報登録・変更処理（ステップ１２４）では、当該クライアント端末に対して所定の操作案内情報を送って、当該端末の画像表示器の表示スクリーンに、対応する操作案内画面をブラウザの機能を介して表示することにより、利用者に対し契約情報の登録や変更を案内するとともに、その状態において、当該クライアント端末から送られてくる保険契約データを、契約情報データベースに格納する処理等が実行される。その後、処理結果返送処理（ステップ１２９）の実行により、処理結果（登録完了の確認情報等々）はクライアント端末へと返送される。
【００７０】
−操作案内画面との関係−
（１）契約情報登録・変更について
クライアント端末の画像表示器に表示される操作案内画面（契約情報登録用）の説明図（その１〜４）が、図１０〜図１３に示されている。図１０に示される操作案内画面は、後述する顧客検索処理を実行して、顧客候補である何人かの顧客名（この例では、山本Ａ男、山本Ｃ男、高橋Ｂ子、山本Ａ子、山本Ｂ男）を副表示領域Ｇ２に一覧表示させた状態において、その中から該当する顧客名「山本Ａ男」を選択することにより得ることができる。この状態において、さらに、契約一覧タブが選択操作されると、図１０に示される操作案内画面から図１１に示される操作画面への切り替えが行われる。この状態においては、主表示画面Ｇ１の最上段（図では、上半分）には、保険契約一覧表示部が設けられる。一方、その下には、当初、進捗状況登録用の操作案内部が設けられる。この状態において、契約詳細タブが選択操作されると、図１１に示される操作案内画面から図１２に示される操作案内画面への切り替えが行われる。その結果、図１２の操作案内画面に示されるように、主表示領域Ｇ１の画面最上段（図では、上半分）には、顧客名「山本Ａ男」の属する家族全体の保険契約の内容が一覧に表示される一方、その下方には、図１２及び図１３に示されるように、契約情報登録用の操作案内部が現れる。なお、図において、★印が付されている項目は、後述する検索処理の際の検索用属性項目となるべき必須入力項目を示している。
【００７１】
図１２に示される操作案内画面によれば、いずれかの顧客名を指定すれば、その顧客の家族全員（被保険者としての）に関する保険契約情報を確認しながら、新たな保険契約の登録を行うことができるので、当該顧客にとって真に必要な保険契約を顧客に対してアドバイスする等、顧客に対するコンサルティングを適切に行うことができる。契約情報登録用の操作案内部に従って、必要な項目（名前、カナ、性別、生年月日、ファミリー名、契約日、証券番号、保険会社、目的、種類、主契約、特約、保険合計、保険期間、払込期間、指定代理請求人、受取人、手数料、手数料合計、解約日、備考等々）を入力した後、画面の最下段に設けられた登録ボタンを操作すれば、ブラウザが作動して、入力された各項目情報を含む契約情報登録指令がサーバ側と送りこまれ、先に説明したように、契約情報登録・変更処理（ステップ１２３）が実行されることにより、クライアント端末から送られてくる各項目情報は契約情報データベースに格納される。
【００７２】
（２）手数料支払い方法情報の登録について
次に、本発明の要部である手数料支払い方法情報の登録について説明する。先に説明したように、本発明にあっては、各保険外交員のそれぞれ毎に、担当した保険契約に関して、将来、保険会社から支払われる手数料額を的確に把握可能とするために、クライアント端末側の操作を介して生成された当該保険契約に関する「手数料支払方法情報」とその保険契約の「取扱担当者情報」とを、保険契約データと併せてデータベースに登録する機能が新たに設けられている。
【００７３】
すなわち、図１３に示されるように、クライアント端末の表示スクリーンに映し出される操作案内画面の主表示領域Ｇ１には、「手数料」とタイトルが付された、手数料支払い方法情報入力のための領域が設定されている。この「手数料」領域には、「Ｌ字タイプ」、「平準タイプ」、「一時払い」とそれぞれ付された３個の支払体系選択用の押ボタンと、「年」及び「月」とそれぞれ付された２個のメニュー提示式支払開始年月入力欄と、「支払年数」と付された支払年数入力欄と、「初年度手数料」と付された初年度手数料入力欄と、「継続手数料」と付された継続手数料入力欄とが設けられている。ここで、支払体系のうちで、「Ｌ字タイプ」、「平準タイプ」、「一時払い」とあるのは、それぞれ、この種の保険業界において周知の手数料支払い方法の１つであり、それぞれの内容は下記の通りである。
【００７４】
１）Ｌ字タイプ：
Ｌ字タイプとは、手数料支払総額のうちの大部分（例えば、８０％）を支払年数のうちの初年度に支払い、残り（例えば、２０％）を次年度以降に均等に支払うと言うもので、例えば、「支払開始年月」が２０１５年６月、「支払年数」が５年、「初年度手数料」がＸ円、「継続手数料」がＹ円であるとすると、２０１５年６月〜２０１６年５月までの初年度については毎月（Ｘ÷１２）円が支払われ、続く２０１６年６月〜２０２０年５月に至る４年間については毎月（Ｙ÷１２）円が支払われるとする支払方法である。
２）平準タイプ：
平準タイプとは、手数料支払い総額を支払い年数に亘り均等に支払うと言うもので、例えば、「支払開始年月」が２０１５年６月、「支払年数」が５年、「継続手数料」がＺ円であるとすると、２０１５年６月〜２０２０年５月に至る５年間について毎月（Ｚ÷１２）円が均等に支払われるとする支払方法である。
３）一括払い：
一括払いとは、手数料支払い総額を一括で支払うと言うもので、例えば、「支払開始年月」が２０１５年６月であるとすると、２０１５年６月にＷ円が一括で支払われるとする支払方法である。
【００７５】
契約情報登録用の操作案内画面の手数料領域（図１３参照）に従って、必要な項目（「Ｌ字タイプ」、「平準タイプ」、「一時払い」の別、「支払開始年月」、「初年度手数料」、「継続手数料」等々）を入力した後、画面の最下段右脇に設けられた登録ボタンを操作すれば、ブラウザが作動して、入力された各項目情報を含む契約情報登録指令がサーバ側へと送りこまれ、先に説明したように、契約情報登録・変更処理（ステップ１２４）が実行されることにより、クライアント端末から送られてくる各項目情報は契約情報データベースに格納される（図１６参照）。このとき、図１７に示されるように、データベース内には、契約データ１〜ｎのそれぞれについて、「支払体系」、「税区分」、「支払開始年月」、「支払年数」、「初年度手数料」、「継続手数料」、「取扱担当者」の各情報が必要に応じて格納される。
【００７６】
＜契約情報検索指令に対応する処理の詳細説明＞
−処理の流れ−
図３に戻って、指令の種別が契約情報検索指令であると判定されると（ステップ１２５ＹＥＳ）、続いて、契約情報検索処理（ステップ１２６）が実行される。この契約情報検索処理（ステップ１２６）では、当該クライアント端末に対して所定の操作案内情報を送って、当該端末の画像表示器の表示スクリーン上に、対応する操作案内画面をブラウザの機能を介して表示することにより、利用者に対し契約情報の検索操作を案内するとともに、その状態において、当該クライアント端末から送られてくる検索キーを含んだ検索指令に応答して、検索キーに基づいて所定の契約情報データベースを検索することで、該当する契約データを抽出する。その後、処理結果返送処理（ステップ１２９）の実行により、検索・抽出された保険契約データはクライアント端末へと返送されて、クライアント端末の利用者に提示（表示出力、プリント出力、及び／又はＣＳＶ出力）されることとなる。
【００７７】
−操作案内画面との関係−
操作案内画面（通常検索用）の説明図が、図１４に示されている。同図に示されるように、この操作案内画面の主表示領域Ｇ１には、検索用の属性項目表示として、「種別」、「名前」、「カナ」、「生年月日」、「性別」、「九星」、「星座」、「住所」、「電話」、「担当者」が表示されている。そのため、例えば、属性項目表示「名前」の入力欄に「山本Ａ男」と入力したのち、画面右下にある検索ボタンを操作すれば、属性項目「名前」に関する検索キーを「山本Ａ男」として、契約情報データベースがアクセスされて、該当する契約データが検索抽出されるのである。こうして検索抽出された保険契約データは、サーバからクライアント端末へと送り込まれ、しかるのち、クライアント端末において、操作案内画面上の検索結果印刷ボタンまたは検索結果ＣＳＶ出力ボタンを操作することによって、印刷出力またはＣＳＶ出力される。
【００７８】
図示を省略するが、こうして印刷出力またはＣＳＶ出力される一連の保険契約データは、契約者を「山本Ａ男」とするすべての保険契約データであって、それらを表示項目（「契約者」、「被保険者」、「受取人」、「契約日」、「保険会社」、「目的」、「証券番号」、「保険種類」、「保健機関」、「払込期間」、「払込方法」、「保険金額」、「保険料」）を揃えて一覧に表示するものである。なお、このとき、図１５に示される家族登録テーブルを参照することにより、契約者を「山本Ａ男」とするすべての契約データに加えて、契約者「山本Ａ男」の家族のそれぞれ（例えば、「山本Ａ子（配偶者）」、「高橋Ｂ子（長女）」、「佐藤Ｃ子（次女）」、「山本Ｂ男（長男）」、「山本Ｃ男（次男）」）を契約者とする全ての契約データを一覧に表示するようにしてもよい。
【００７９】
＜手数料集計指令に対応する処理の詳細説明＞
−処理の流れ−
図３に戻って、指令の種別が手数料集計指令であると判定されると（ステップ１２７ＹＥＳ）、続いて、手数料集計処理（ステップ１２８）が実行される。この手数料集計処理（ステップ１２８）では、当該クライアント端末に対して所定の操作案内情報を送って、当該端末の画像表示器の表示スクリーン上に、対応する操作案内画面（図１５参照）をブラウザの機能を介して表示することにより、利用者に対し手数料集計の集計操作を案内するとともに、その状態において、当該クライアント端末から送られてくる「年」と「月」（指定期間）とを含んだ集計指令に応答して、データベースの所定情報（詳細は、図１６を参照して後述）を参照しながら、所定の手数料集計処理（詳細は、図４を参照して詳述）を実行する。その後、処理結果返送処理（ステップ１２９）の実行により、その手数料集計結果はクライアント端末へと返送されて、クライアント端末の利用者に提示（表示出力、プリント出力、及び／又はＣＳＶ出力）されることとなる（詳細は、図１７を参照して詳述）。
【００８０】
−操作案内画面との関係−
操作案内画面（手数料集計用）の説明図が、図１５に示されている。特に、図には示さないが、ログイン直後、クライアント端末の表示スクリーンには、所定のメニュー画面が表示され、そのメニュー画面の中で、メニュー項目の１つである「手数料集計」を選択することにより、図１５に示される手数料集計用の操作案内画面が表示される。同図に示されるように、この操作案内画面には、左脇に「年月（西暦）」と付された集計月の入力欄と、集計処理を起動させるための集計ボタン（図中「集計」と記す）と、入力欄をクリアするためのクリアボタン（図中「クリア」と記す）とが設けられている。集計月の入力欄に集計月を例えば「２０１５年１０月」のようにキーボード入力したのち、マウス操作で集計ボタン（「集計」）を押圧操作すると、ブラウザの作用で、手数料集計指令がサーバ側へと送り込まれ、これを受けて、先に説明したように、手数料集計処理（図３、ステップ１２８）が実行される。
【００８１】
手数料集計処理の詳細が、図４に示されている。同図において、処理が開始されると、先ず、ステップ３０１が実行されて、ログインＩＤに基づいて、クライアント端末の置かれた保険代理店が認識されるとともに、当該代理店に関して予め登録された１又は２以上の保険外交員（保険契約取扱担当者）の一人（担当者ＩＤ１）が指定される。続く、ステップ３０２では、担当者ＩＤ１をキーとして、所定データベース（図１７参照）を検索することにより、当該取扱担当者ＩＤ１が過去に取り扱った保険契約データのうちの最初の１つが抽出される。続く、ステップ３０３では、支払期間（「支払開始」情報と「支払年数」とで特定される）に指定「月」（例えば、２０１５年１０月）を含むか否かの判定が行われる。ここで、支払期間に指定「月」を含むと判定されたときには（ステップ３０３ＹＥＳ）、続いて、ステップ３０４に進んで、指定「月」はＬ字パターンにおける初年度か否かの判定が行われる。ここで、指定「月」がＬ字パターンにおける初年度に相当すると判定されるときには（ステップ３０４ＹＥＳ）、続いて、第１の集計処理（ステップ３０５、３０６）に進むのに対して、指定「月」がＬ字パターン初年度ではないと判定されるときには（ステップ３０４ＮＯ）、続いて、第２の集計処理（ステップ３０７、３０８）へと進む。なお、支払期間に指定「月」を含まない契約データについては、集計対象から除外される（ステップ３０３ＮＯ→ステップ３０９ＮＯ→ステップ３１２）。
【００８２】
第１の集計処理（ステップ３０５、３０６）は、指定「月」がＬ字パターン初年度であるときの手数料支払総額を保険会社別に集計するためのものである。すなわち、先ず、ステップ３０５では、当該保険契約に関して予め登録された手数料支払い方法情報（特に、「初年度手数料」）を求めると共に、これを１２等分することで、指定「月」の手数料支払額を求め、これを予め各保険会社別に設けられた指定「月」の支払額レジスタ（Ｔ１'）に格納する。続くステップ３０６では、こうして得られた初年度手数料支払額（Ｔ１'）を初年度手数料支払総額レジスタ（Ｔ１）を使用して積算することで（Ｔ１＝Ｔ１＋Ｔ１'）、保険会社別の指定「月」における初年度手数料支払総額（Ｔ１）を取得する。
【００８３】
第２の集計処理（ステップ３０７、３０８）は、指定「月」がＬ字パターン初年度でないとき（すなわち、Ｌ字パターンの次年度以降や平準タイプのとき）の手数料支払い総額を保険会社別に集計するためのものである。すなわち、先ず、ステップ３０７では、当該保険契約に関して予め登録された手数料支払い方法情報（特に、「継続手数料」）を求めると共に、これを１２等分することで、指定「月」の手数料支払額を求め、これを予め各保険会社別設けられた指定「月」の支払額レジスタ（Ｔ２'）に格納する。続くステップ３０８では、こうして得られた継続手数料支払額（Ｔ２'）を継続年度手数料支払総額レジスタ（Ｔ２）を使用して積算することで（Ｔ２＝Ｔ２＋Ｔ２'）、保険会社別の指定「月」における継続年度手数料支払総額（Ｔ２）を取得する。
【００８４】
以下、上述の第１の集計処理（ステップ３０５、３０６）又は第２の集計処理（ステップ３０７、３０８）のいずれかを、当該保険取扱担当者（ＩＤ１）が取り扱った保険契約のそれぞれについて次々と実行し（ステップ３１３）、当該保険取扱担当者（ＩＤ１）が取り扱った保険契約が尽きたならば（ステップ３０９ＹＥＳ）、当該保険代理店に関して登録された１又は２以上の保険契約担当者のうちの次の担当者（ＩＤ２）に切り替えて（ステップ３１４）、以上の処理（ステップ３０３〜３０９）を繰り返し、最後の担当者（ＩＤｍ）も尽きるのを待って（ステップ３１０ＹＥＳ）、全会社初年度手数支払総額の総計（ΣＴ１）及び全会社継続年度手数料支払総額の総計（ΣＴ２）を算出したのち（ステップ３１１）、全ての集計結果（各会社別の初年度手数料支払額総計（Ｔ１）、各会社別の継続年度手数料支払額総計（Ｔ２）、全会社初年度手数支払総額の総計（ΣＴ１）及び全会社継続年度手数料支払総額の総計（ΣＴ２））を出力して（ステップ３１２）、処理を終了する。
【００８５】
こうして最終的に得られた集計結果は、処理結果返送処理（図３、ステップ１２９）の実行により、該当する保険代理店のクライアント端末へと返送される。クライアント端末側では、所定のブラウザの作用により、手数料集計結果に相当する画像を表示出力、印字出力、及び／又は、ＣＳＶ出力することとなる。
【００８６】
サーバから受信した手数料集計結果をクライアント端末にてＣＳＶ形式で出力したものを、さらに、適当な表計算ソフトを介して図表に変換し、表示装置のスクリーンに表示又はプリンタによりプリントアウトしたものが、図１８に示されている。これは、将来のある「月」における担当者別手数料収入総額をその内訳とともに示す図表である。この図表によれば、当該「月」における各担当者（ＩＤ１〜ＩＤ４）に関して、保険会社から支払われる手数料支払総額は、初期合計（ΣＴ１）と継続合計（ΣＴ２）とに分けて、別々に表示されるから、単にそれぞれの金額のみならず、初期合計（ΣＴ１）と継続合計（ΣＴ２）との大小関係や割合についても考慮することにより、当該支払総額の永続性を的確に推測することができ、徒に、総額に惑わされることなく、当該担当者の営業実績を的確に評価することが可能となる。しかも、初期合計（ΣＴ１）と継続合計（ΣＴ２）とは、各保険会社毎に、初期手数料（Ｔ１）と継続手数料（Ｔ２）としても表示されるから、個々の保険会社についても、当該支払総額の永続性を的確に推測することもでき、営業戦略に役立てることもできる。加えて、個々の担当者毎に、その取り扱う保険会社名がその手数料支払額とともに表示されることから、各担当者の営業範囲乃至傾向を的確に把握することもできる。
【００８７】
なお、以上の実施形態では、クライアント端末からの手数料集計指令に応じて、当該保険代理店の全ての保険取扱担当者について、手数料集計処理を実行するように構成したが、例えば、手数料集計指令に担当者指定を含めておいて、指定された担当者に限り、手数料集計処理を実行するようにしてもよい。
【００８８】
また、以上の実施形態では、「指定期間」として、特定の「年」の特定の「月」としたが、特定の３ヶ月、半年、１年と言ったように、様々な長さの期間を指定して、その間の手数料総額を集計するようにしてもよい。
【００８９】
また、以上の実施形態では、指定された「月」が初年度か継続年度かにより、別々に集計処理を実行したが、勿論、それらにの別を考慮することなく、一括して、手数料を集計するようにしても、個々の取扱担当者の営業実績をある程度は、把握することができるであろう。
【００９０】
さらに、以上の実施形態では、本発明にかかるアルゴリズムをＡＳＰサーバからなる保険代理店業務支援装置に適用したが、同アルゴリズムは方法の形態により、パソコンに専用ソフトを組み込んでなるスタンドアロン方式の保険代理店業務支援装置にも適用できることは勿論である。
【産業上の利用可能性】
【００９１】
この発明によれば、例えば、保険契約データの新規登録又は保険契約データの変更登録に際して、前記クライアント端末側において所定の操作を行えば、当該保険契約に関する手数料支払方法情報とその保険契約の取扱担当者情報とが生成されて、前記保険契約データと併せて前記データベースに登録される一方、任意の時点で、前記クライアント端末側において所定の操作を行なうことで、いずれかの期間指定を含む所定の手数料集計指令が生成されると、前記取扱担当者情報をキーとして前記データベースを検索することにより、当該１の取扱担当者が取り扱った保険契約の手数料支払方法情報と前記期間指定とに基づいて、当該１の取扱担当者に関して指定期間に得られる手数料収入総額を集計し、前記クライアント端末側に提示する処理が実行され、これにより各保険外交員のそれぞれ毎に、担当した保険契約に関して、将来、保険会社から支払われる手数料額を的確に把握可能となる。
【符号の説明】
【００９２】
１    保険代理店業務支援装置
１ａ  ＡＳＰサーバ
１ｂ  データベース
２    クライアント端末
３    インターネット
Ｇ１  主表示領域
Ｇ２  副表示領域
【図１】
2017156841.tif 000003
【図２】
2017156841.tif 000004
【図３】
2017156841.tif 000005
【図４】
2017156841.tif 000006
【図５】
2017156841.tif 000007
【図６】
2017156841.tif 000008
【図７】
2017156841.tif 000009
【図８】
2017156841.tif 000010
【図９】
2017156841.tif 000011
【図１０】
2017156841.tif 000012
【図１１】
2017156841.tif 000013
【図１２】
2017156841.tif 000014
【図１３】
2017156841.tif 000015
【図１４】
2017156841.tif 000016
【図１５】
2017156841.tif 000017
【図１６】
2017156841.tif 000018
【図１７】
2017156841.tif 000019
【図１８】
2017156841.tif 000020
【手続補正書】
【提出日】平成29年6月29日(2017.6.29)
【手続補正１】
【補正対象書類名】特許請求の範囲
【補正対象項目名】請求項２１
【補正方法】変更
【補正の内容】
【請求項２１】
スタンドアロン方式の保険代理店業務支援装置を構成するコンピュータが実行する方法であって、
ユーザ操作を介して所定の登録指令が生成されたとき、ユーザ操作を介して生成又は修正され、かつ１もしくは２以上の検索用属性項目を含む、１の保険契約に関する保険契約データを、所定のデータベースに登録する契約データ登録ステップと、
ユーザ操作を介していずれかの検索用属性項目に関する検索用キーを含む所定の検索指令が生成されたとき、前記検索用キーを使用して前記データベースを検索し、その検索結果をユーザに提示する契約データ検索ステップとが含まれており、
前記契約データ登録ステップには、さらに、前記ユーザ操作を介して生成された当該保険契約に関する手数料支払方法情報とその保険契約の取扱担当者情報とを、前記保険契約データと併せて前記データベースに登録する機能が含まれており、さらに
ユーザ操作を介していずれかの期間指定を含む所定の手数料集計指令が生成されたとき、前記取扱担当者情報をキーとして前記データベースを検索することで、１の取扱担当者が取り扱った全ての保険契約及び各契約それぞれの手数料支払方法情報を求め、それらに基づいて、当該１の取扱担当者に関して指定期間に得られる手数料収入総額を集計して、ユーザに提示する担当者別手数料収入集計ステップを有する、方法。